(57)【要約】【目的】強固な接続を維持しつつ素早い接続が可能な外科及び産業用の工具設計のためのモジュール式接続器の提供である。【構成】モジュール式器具接続組立装置は、組立部の主軸を定義し、組立部の構成部品を収めるための線状の穴部が形成されたハウジングを含む。前記ハウジングは、第１テーパ部が形成された接続具を具備する。前記接続具は、バネ体が接続具とハウジングの間に狭持された状態で、ハウジングにおける線状の穴部によって保持される。第２テーパ部が形成された器具は、接続具における第１テーパ部と軸に沿って嵌め合わされ、これによって相互の部品が強固に接続される。前記バネ体は２つのテーパ部の間で生じる力を制限し、これによって取り外しを容易に行なうことを可能にする。【選択図】図２
2004528874.tif 000002
【特許請求の範囲】
【請求項１】
ハウジング組立部と外科用器具とから構成される外科用の接続組立装置であり、
前記ハウジング組立部は、ハウジング、接続具及びバネ体を具備し、前記ハウジングは接続具及びバネ体を保持するための軸に沿った穴部が施され、前記接続具には第１テーパ部が形成され、該接続具と前記ハウジングの間にはバネ体が狭持された状態で前記軸上の穴部に保持されるように形成され、
前記外科用器具は第２テーパ部が形成され、前記ハウジング組立部の穴部から外科用器具を引張るとハウジング組立部が逆回転するように、前記バネ体が双方の部品に形成された第１、第２テーパ部の間で生じる力を制限する一方で、前記穴部に第２テーパ部が嵌め合わさることで外科用器具及びハウジング組立部が強固な接続を行なうように形成されることを特徴とする外科用の接続組立装置。
【請求項２】
前記外科用器具は、ドライバー、穿刺、リーマ、及び皿穴を含む外科用器具類から選択されることを特徴とする請求項１に記載の外科用の接続組立装置。
【請求項３】
前記接続具に形成された溝部にピンが嵌め込まれることで、接続具はこのピンによって保持されることを特徴とする請求項１に記載の外科用の接続組立装置。
【請求項４】
前記外科用器具は、前記接続具がピンに衝突するまで深く接続具における穴部に器具を挿入することを防ぐための停止部を含み、これによって取り外す際の力を一定に保つことを特徴とする請求項１に記載の外科用の接続組立装置。
【発明の詳細な説明】
【０００１】
（発明の背景）
本発明は、強固な接続を維持しつつ素早く接続及び取り外しを行なう整形外科及び産業用の工具設計において有用となるモジュール式接続器に関する。
特に重要な特徴は、このモジュール式器具接続器における仲介装置が使用者に一部品構造の器具と同様の感覚または感触を与える点である。例えば、ある外科作業においては、取っ手のある器具（ドライバー、穿刺、リーマ、あるいは皿穴など）を使用する場合、その器具を使用している際に（骨に穴を開けたり、穿刺したり、何か器具をねじ込んだりする場合など）外科医は骨の性質を感知することが必要である。このように手術の際にその感触を感じる必要があるために、外科用製品の製造者は取っ手と一体化した一部品構造で構成された製品の開発を余儀なくされた。
外科医が骨の感触を感じる必要のない場合は、外科医には専ら幾つかの器具が具備された連動作動するモジュール式取っ手が製造者から提供された。医療費用が上昇するにつれ、製造者は外科医が必要とする感触伝達性に妥協することなく、必須の外科用器具の価格を低くするための方法を模索してきた。この要求に応じるために、取っ手部と一体化された口金（コレット）器具を用いた方法が提案された。外科医は器具の軸部を口金（コレット）の中に差し入れ、ねじ込みスリーブを用いて口金（コレット）を稼動させる。ねじ込みスリーブが回転されると口金（コレット）が閉まり、それによって器具の軸部との間に確固とした接続が行われる。しかし口金（コレット）は機能的には有能であるが、扱いが難しく、器具を取り替える際の手段としてはむしろ時間を要する。このような要素は手術時間の拡大の原因となり、この方法は費用を抑えるためには適用できない。
【０００２】
本発明の主な目的は、素早い接続が可能な外科及び産業用の工具設計のためのモジュール式接続器を提供することである。また、接続器は強固な接続を行なう必要性も求められる。更に、接続器は逆回転が可能な接続を行なうことも求められ、更には嵌合するテーパ部が形成されてなることも求められる。また、器具接続器がその嵌合するテ−パ部の接続する際の力がバネ体によって制限されることも求められる。
【０００３】
（発明の開示）
以上に記載のような目的を達成するためには、本発明は組立部の主軸を定義し、組立部の各部品を収めるための線状の穴部が施されたハウジングを備えることとする。前記ハウジングは第１テーパ部が形成された接続具を含む。前記接続具は、接続具とハウジングの間にバネ体が狭持された状態で、ハウジングの線状の穴部に固定される。接続具の第１テーパ部と対応する第２テ−パ部が備わった器具は、接続具における第１テ−パ部と軸上に嵌合するように配置され、これによって相互の部品が強固に接続される。前記バネ体は、取り外しが容易に行なえるように２つのテ−パ部の間に生じる力を制限する。
より具体的に本発明は、ハウジング組立部と外科用器具とから構成される外科用の接続組立装置であり、前記ハウジング組立部は、ハウジング、接続具及びバネ体を具備し、前記ハウジングは接続具及びバネ体を保持するための軸に沿った穴部が施され、前記接続具には第１テーパ部が形成され、該接続具と前記ハウジングの間にはバネ体が狭持された状態で前記軸上の穴部に保持されるように形成され、前記外科用器具は第２テーパ部が形成され、前記ハウジング組立部の穴部から外科用器具を引張るとハウジング組立部が逆回転するように、前記バネ体が双方の部品に形成された第１、第２テーパ部の間で生じる力を制限する一方で、前記穴部に第２テーパ部が嵌め合わさることで外科用器具及びハウジング組立部が強固な接続を行なうように形成されることを特徴として構成される外科用の接続組立装置である。
【０００４】
（図面の詳細な説明）
本発明の好ましい具体案の一例は図１から図５にて開示されている。図１において開示されているのは、接続具１０、バネ体３０、ハウジング４０及び保持ピン３５から構成される組立部の分解図である。
これらの部品は、図２から図５で示されるようにあらかじめ組み立てられた状態で示されている。前記接続具１０は、ハウジング４０における穴部４５に収められ、保持ピン３５によって固定される。また前記バネ体３０は、その間に狭持された状態で組み立てられる。前記バネ体３０は、ハウジング４０における穴部４５に支持され、接続具１０に形成された内穴部１５の中央に収められる。断面図でみると、接続具１０は更に第１テーパ部２０を形成してなり、これは器具５０に形成された第２テーパ部５５に嵌合する際に有用となる。停止部５６は、接続具が保持ピン３５に衝突するまで深く器具５０が穴部４５に挿入されるのを防ぎ、これによって取り外す際に相互に加わる力を一貫に保つ。
【０００５】
すべての部品を含む組立部７０は、バネ体３０が圧縮された状態で図４及び図５で開示され、嵌合するテーパ接続部６０が図示されている。組立過程において、バネ体３０は使用者が嵌合するテーパ接続部６０に力を加えすぎるのを防ぐ力リミッターとしての役割を担う。接続する際の力が制限されるため、接続を解く際は引っ張るだけで容易に第１テーパ部２０と第２テーパ部５５を取り外すことができる。第１テーパ部２０及び第２テーパ部５５は、テーパ接続部６０が中心に配置されるように定める機能を持ち、分離可能な結合部として一般によく使用されるモールステーパの形態で形成されてもよい。
適用される状況によっては、接続部６０を介してトルクまたは軸力を用いる必要があり、図示されていないがこれは付加的な保持機構を加えることで達成できる。非常に安定したモジュール式接続部を構成するために、例としては、小型、超小型、または大型のＡＯ接続具、ジマーホール（ＺｉｍｍｅｒＨａｌｌ）または差込状システムなどの他の医療器具を本発明に組み合わせてもよい。
これらの保持機構もまた、組み立てらた際に図４及び図５と同様に、バネ体３０を圧縮された状態で保持することとする。このようにすると、接続された状態においてもバネ体によってテーパ接続部で軽微な力を維持することが可能となる。この圧力は、組立部７０を使用している間、第１テーパ部２０と第２テーパ部５５の強固な接続を保つのに有益に働く。ハウジング４０もまた、取っ手組立部の一部品あるいはまた別の器具の構成部品として形成されることも可能である。本発明の発明者にとってもっとも重要な点は、接続部の部品の間に遊びが生じないために、モジュール式器具構成において不動性が生まれるように力が制限された接続を用いることである。
【０００６】
本発明の説明は好適な具体案を参照になされているが、請求の範囲で定められた範疇から逸脱することなく様々な応用や改案の余地があることは、技術に詳しい者であれば明白であろう。
【図面の簡単な説明】
【図１】
本発明を具体化したモジュール式器具接続組立装置の接続されていない状態における組立分解等角図である。
【図２】
図１で示されたモジュール式器具接続具の接続されていない状態における側面からの断面図である。
【図３】
図２で示されたモジュール式器具接続具の接続されていない状態における側面からの拡大図である。
【図４】
本発明を具体化したモジュール式器具接続組立装置の接続された状態における側面からの断面図である。
【図５】
図４で示されたモジュール式器具接続具の接続された状態における側面からの拡大断面図である。
【符号の説明】
１０  接続具
１５  内穴部
２０  第１テーパ部
３０  バネ体
３５  保持ピン
４０  ハウジング
４５  穴部
５０  外科用器具
５５  第２テーパ部
５６  停止部
６０  テーパ接続部
【国際公開パンフレット】
2004528874.tif 000003
2004528874.tif 000004
2004528874.tif 000005
2004528874.tif 000006
2004528874.tif 000007
2004528874.tif 000008
2004528874.tif 000009
2004528874.tif 000010
2004528874.tif 000011
【国際公開パンフレット（コレクトバージョン）】
2004528874.tif 000012
【国際調査報告】
2004528874.tif 000013
2004528874.tif 000014